【手続補正書】
【提出日】平成18年9月13日(2006.9.13)
【手続補正１】
【補正対象書類名】明細書
【補正対象項目名】特許請求の範囲
【補正方法】変更
【補正の内容】
【特許請求の範囲】
【請求項１】  生体内でモジュラー型装置に変換可能な非モジュラー型脛骨補綴物において、
その上面にモジュラー型軸受リテーナを有する脛骨基部であって、前記リテーナがその内方を向く面に形成されたキャビティを有する隆起部分を含む脛骨基部と、
該脛骨基部に成形された一次軸受と、
を備える、非モジュラー型脛骨補綴物。
【請求項２】  請求項１の補綴物において、前記隆起部分が前記脛骨基部の後端縁にある、補綴物。
【請求項３】  請求項２の補綴物において、前記脛骨基部に悪影響を与えずに、前記非モジュラー型一次軸受を前記脛骨基部から実質的に単一部品として除去する手段を更に備える、補綴物。
【請求項４】  請求項３の補綴物において、前記除去手段が楔を備え、前記一次軸受が該楔上に直接、成形される、補綴物。
【請求項５】  請求項４の補綴物において、前記脛骨基部が、平坦な顆間の上面を有し、前記楔が、前記脛骨基部の前記平坦な上面と接触する平坦な下面を有し、前記楔が、前記一次軸受の相応的に傾斜した下面と接触する後方上方に傾斜した上面を有する、補綴物。
【請求項６】  請求項５の補綴物において、前記楔の前端部に一体に接続されたねじ付き駆動ブロックを更に備える、補綴物。
【請求項７】  請求項１の補綴物において、前記脛骨基部上に取り付けられた楔を更に備え、前記一次軸受が該楔上に直接、成形される、補綴物。
【請求項８】  請求項１の補綴物において、その内方に面する面に形成されたキャビティを有する前記隆起部分を複数備え、前記複数の隆起部分が、前記脛骨基部の前端縁における複数の柱状部分と、前記脛骨基部の後端縁におけるレールと、を備える、補綴物。
【請求項９】  生体内でモジュラー型装置に変換可能な非モジュラー型脛骨補綴物において、
モジュラー型軸受リテーナを有する脛骨基部であって、前記リテーナが、該脛骨基部上にモジュラー型軸受を確実に保持すべく補助の機械的係止要素と協働し得るようにされた脛骨基部と、
該脛骨基部に成形された一次軸受と、
を備える、非モジュラー型脛骨補綴物。
【請求項１０】  請求項９の補綴物において、前記リテーナが、前記脛骨基部の後端縁における前方に面する面に形成されたキャビティを有する隆起部分を備える、補綴物。
【請求項１１】  請求項９の補綴物において、前記リテーナが、前記脛骨基部の前端縁における一対の柱状部分を更に備え、前記補助の機械的係止要素が、前記柱状部分及びモジュラー型軸受に係合し得るようにされたクリップを備える、補綴物。
【請求項１２】  請求項９の補綴物において、前記リテーナがねじ付き穴を備え、前記補助の機械的係止部材がねじを備える、補綴物。
【請求項１３】  請求項９の補綴物において、前記リテーナが蟻継ぎ面部材を備える、補綴物。
【請求項１４】  請求項９の補綴物において、前記脛骨基部に悪影響を与えずに、前記非モジュラー型一次軸受を前記脛骨基部から実質的に単一部品として除去する手段を更に備える、前記補綴物。
【請求項１５】  生体内でモジュラー型装置に変換可能な非モジュラー型脛骨補綴物において、
モジュラー型軸受に対するリテーナを画成する面を有する脛骨基部と、
該脛骨基部に成形された一次軸受と、
該一次軸受と接触するように前記脛骨基部上に取り付けられた機械的解放部材と、
を備える、非モジュラー型脛骨補綴物。
【請求項１６】  請求項１５の補綴物において、前記解放部材が楔を備え、前記一次軸受が該楔上に直接、成形される、補綴物。
【請求項１７】  請求項１６の補綴物において、前記脛骨基部が、平坦な顆間の上面を有し、前記楔が、前記脛骨基部の前記平坦な上面と接触する平坦な下面を有し、前記楔が、前記一次軸受の相応的に傾斜した下面と接触する後方上方に傾斜した上面を有する、補綴物。
【請求項１８】  請求項１７の補綴物において、前記楔の前端部に一体に接続されたねじ付き駆動ブロックを更に備える、補綴物。
【請求項１９】  生体内でモジュラー型装置に変換可能な非モジュラー型脛骨補綴物において、
モジュラー型軸受を保持する手段を有する脛骨基部と、
該脛骨基部に成形された一次軸受と、
前記脛骨基部に悪影響を与えずに、前記一次軸受を前記脛骨基部から解放する解放手段と、
を備える、非モジュラー型脛骨補綴物。
【請求項２０】  請求項１９の補綴物において、前記解放手段が楔を備え、前記一次軸受が該楔上に直接、成形される、補綴物。
【請求項２１】  請求項２０の補綴物において、前記脛骨基部が、平坦な顆間の上面を有し、前記楔が、前記脛骨基部の前記平坦な上面と接触する平坦な下面を有し、前記楔が、前記一次軸受の相応的に傾斜した下面と接触する後方上方に傾斜した上面を有する、補綴物。
【請求項２２】  請求項２１の補綴物において、前記楔の前端部に一体に接続されたねじ付き駆動ブロックを更に備える、補綴物。
【請求項２３】  膝関節の置換方法において、
一次軸受を除去した後、脛骨基部に固着すべきモジュラー型置換軸受に対するリテーナを有する脛骨基部を提供することと、
一次軸受を前記脛骨基部に成形することと、
一次的膝置換外科手術の間、前記リテーナ及び一次軸受と共に前記脛骨基部を患者に埋め込むことと、
を備える、方法。
【請求項２４】  請求項２３の方法において、
修正外科手術の間、前記脛骨基部を除去することなく、前記非モジュラー型一次軸受を除去することと、
前記修正外科手術の間、モジュラー型軸受を前記リテーナに固着することと、
を更に備える、方法。
【請求項２５】  生体内でモジュラー型装置に変換可能な非モジュラー型脛骨補綴物において、モジュラー型軸受を回転可能に支持し得るようにされた中空の軸部分を有する脛骨基部と、該脛骨基部に固着された非モジュラー型一次軸受と、を備える、非モジュラー型脛骨補綴物。
【請求項２６】  生体内でモジュラー型装置に変換可能な非モジュラー型脛骨補綴物において、モジュラー型軸受リテーナを有する基部と、該基部に直接、成形された非モジュラー型一次軸受と、を備える、非モジュラー型脛骨補綴物。
【請求項２７】  脛骨の補綴物の製造方法において、
一次軸受を除去した後、脛骨基部に固着すべきモジュラー型置換軸受用のリテーナを有する前記脛骨基部を提供することと、
一次軸受を前記脛骨基部に成形することと、
を備える、製造方法。
【請求項２８】  生体内でモジュラー型装置に変換可能な股関節補綴物において、モジュラー型軸受リテーナを有する股臼カップと、該股臼カップに直接成形された一次軸受と、を備える、股関節補綴物。
【請求項２９】  請求項２８の股関節補綴物において、前記モジュラー型軸受けリテーナが、補助の機械的係止要素と協働してモジュラー型軸受を前記股臼カップ内に確実に保持し得るようにされた、股関節補綴物。
【請求項３０】  股関節の置換方法において、
一次軸受を除去した後、股臼カップに固着すべきモジュラー型置換軸受用のリテーナを有する前記股臼カップを提供することと、
一次軸受を前記股臼カップに成形することと、
一次的腰部置換外科手術の間、前記リテーナを有する前記股臼カップ及び成形した一次軸受を患者に埋め込むことと、
を備える、置換方法。
【請求項３１】  請求項３０の方法において、
修正処置法の間、前記股臼カップを除去せずに、前記成形した一次軸受を除去することと、
前記修正処置法の間、モジュラー型軸受けを前記リテーナに固着することと、
を更に備える、方法。